(57)【要約】【課題】【解決手段】紙容器組立体は第１及び第２の紙容器を備える。第１の紙容器は第１の連続的な本体部、及び第１の表面を有する第１の縁部を含む。第１の縁部は第１の本体部を取囲んでこれから横方向外方に突出する。第１の縁部の第１の表面は第１の粘着体を含む。第２の紙容器は第２の連続的な本体部、及び第２の表面を有する第２の縁部を含む。第２の縁部は第２の本体部を取囲んでこれから横方向外方に突出する。第２の縁部の第２の表面は第２の粘着体を含む。第１の容器及び第２の容器は、第１及び第２の縁部を押合せて第１の粘着体及び第２の粘着体が互いに接触し解除可能に付着するようにすることにより、互いに解除可能に付着可能であるよう適合されている。【選択図】図１ａ、図１ｂ、図１ｃ
2008531400.tif 000002
【特許請求の範囲】
【請求項１】
紙容器組立体であって、
第１の連続的な本体部及び第１の表面を有する第１の縁部を含む第１の紙容器にして、該第１の縁部は該第１の本体部を取囲んで該本体部から横方向外方に突出し、該第１の縁部の該第１の表面は第１の粘着体を含む、前記第１の紙容器と、
第２の連続的な本体部及び第２の表面を有する第２の縁部を含む第２の紙容器にして、該第２の縁部は該第２の本体部を取囲んで該本体部から横方向外方に突出し、該第２の縁部の該第２の表面は第２の粘着体を含む、前記第２の紙容器とを備え、
該第１の容器及び該第２の容器は、該第１及び第２の縁部を押し合せて該第１の粘着体及び該第２の粘着体が互いに接触し解除可能に付着するようにすることにより、互いに解除可能に付着可能であるよう適合されている、前記紙容器組立体。
【請求項２】
請求項１に記載の容器組立体において、該第１及び第２の容器の少なくとも一方は板紙を備える、前記容器組立体。
【請求項３】
請求項１に記載の容器組立体において、該第１及び第２の粘着体は同じである、前記容器組立体。
【請求項４】
請求項１に記載の容器組立体において、該第１及び第２の粘着体は水性粘着体である、前記容器組立体。
【請求項５】
請求項１に記載の容器組立体において、該第１の縁部はその中に少なくとも１つの凹所を形成し、該少なくとも１つの凹所は該第１の粘着体を含み、かつ該第２の縁部はその中に少なくとも１つの凹所を形成し、該少なくとも１つの凹所は該第２の粘着体を含む、前記容器組立体。
【請求項６】
請求項５に記載の容器組立体において、該第１の縁部は複数の凹所を形成し、かつ該第２の縁部は複数の凹所を形成する、前記容器組立体。
【請求項７】
請求項１に記載の容器組立体において、該第１及び第２の容器はボウルである、前記容器組立体。
【請求項８】
請求項１に記載の容器組立体において、該第１及び第２の容器は平皿である、前記容器組立体。
【請求項９】
請求項１に記載の容器組立体において、該第１の容器はボウルであり、該第２の容器は平皿である、前記容器組立体。
【請求項１０】
請求項１に記載の容器組立体において、該第１の容器は該第２の容器と実質的に同じに形作られている、前記容器組立体。
【請求項１１】
請求項１０に記載の容器組立体において、該第１の容器は該第２の容器と同一である、前記容器組立体。
【請求項１２】
請求項１に記載の容器組立体において、該第１の縁部はそこから概して上方に突出する第１の複数の波形にして該第１の複数の波形の隣接したものの間にはそれぞれ第１の空所が形成された第１の複数の波形を形成し、該それぞれの第１の空所は該第１の粘着体を包含し、該第２の縁部はそこから概して上方に突出する第２の複数の波形にして隣接した該第２の複数の波形の間にはそれぞれ第２の空所が形成された第２の複数の波形を形成し、該それぞれの第２の空所は該第２の粘着体を包含し、かつ該第１の容器及び該第２の容器は、該第１の縁部及び該第２の縁部を押し合せて該第１の粘着体及び該第２の粘着体が互いに接触し解除可能に付着するようにすることにより、互いに解除可能に付着可能であるよう適合されている、前記容器組立体。
【請求項１３】
請求項１に記載の容器組立体において、該第１の縁部は第１の複数の上方突出特徴部にして隣接した上方突出特徴部の間には第１の空所が形成された第１の複数の上方突出特徴部を有し、該第１の空所は該第１の粘着体を包含し、該第２の縁部は第２の複数の上方突出特徴部にして隣接した上方突出特徴部の間には第２の空所が形成された第２の複数の上方突出特徴部を有し、該第２の空所は該第２の粘着体を包含し、該第２の縁部及び該第１の縁部は実質的に同じに形作られ、かつ該第１の容器及び該第２の容器は、該第１の複数の上方突出特徴部及び該第２の複数の上方突出特徴部を押し合せて該第１の粘着体及び該第２の粘着体が互いに接触し解除可能に付着するようにすることにより、互いに解除可能に付着可能であるよう適合されている、前記容器組立体。
【請求項１４】
請求項１に記載の容器組立体において、該第１の縁部はそこから概して上方に突出する第１の複数のリブにして隣接したリブの間には第１の空所が形成されるようにした第１の複数のリブを有し、該第１の空所は該第１の粘着体を包含し、該第２のリブはそこから概して上方に突出する第２の複数のリブにして隣接したリブの間には第２の空所が形成されるようにした第２の複数のリブを有し、該第２の空所は該第２の粘着体を包含し、かつ該第１の容器及び該第２の容器は、該第１の複数の上方突出リブ及び該第２の複数の上方突出リブを押し合せて該第１の粘着体及び該第２の粘着体が互いに接触し解除可能に付着するようにすることにより、互いに解除可能に付着可能であるよう適合されている、前記容器組立体。
【請求項１５】
請求項１４に記載の容器組立体において、該第１の複数の上方突出リブ及び該第２の複数の上方突出リブの各々は少なくとも約３つのリブを含む、前記容器組立体。
【請求項１６】
請求項１４に記載の容器組立体において、該第１の複数の上方突出リブ及び該第２の複数の上方突出リブの各々は少なくとも約４０のリブを含む、前記容器組立体。
【請求項１７】
紙容器組立体の形成方法であって、該方法は、
第１の連続的な本体部及び第１の表面を有する第１の縁部を含む第１の紙容器にして、該第１の縁部は該第１の本体部を取囲んで該本体部から横方向外方に突出し、該第１の縁部の該第１の表面は第１の粘着体を含む、前記第１の紙容器を準備する行為と、
第２の連続的な本体部及び第２の表面を有する第２の縁部を含む第２の紙容器にして、該第２の縁部は該第２の本体部を取囲んで該本体部から横方向外方に突出し、該第２の縁部の該第２の表面は第２の粘着体を含む、前記第２の紙容器を準備する行為と、
該第１の容器及び該第２の容器の一方を裏返して、該第１の容器及び第２の容器が概して整列され該第１の縁部及び該第２の縁部が互いに隣接するようにする行為と、
該第１及び第２の縁部を押し合せて該第１の粘着体及び該第２の粘着体が互いに接触し解除可能に付着するようにする行為とを含む、前記方法。
【請求項１８】
請求項１７に記載の方法において、該第１及び第２の縁部を押し合せる前に、該第１の容器及び該第２の容器の少なくとも一方に食品を配置する行為をさらに含む、前記方法。
【請求項１９】
請求項１７に記載の方法において、該第１及び第２の容器の少なくとも一方は板紙を備える、前記方法。
【請求項２０】
請求項１７に記載の方法において、該第１及び第２の粘着体は同じである、前記方法。
【請求項２１】
請求項１７に記載の方法において、該第１及び第２の粘着体は水性粘着体である、前記方法。
【請求項２２】
請求項１７に記載の方法において、該第１の縁部はその中に少なくとも１つの凹所を形成し、該少なくとも１つの凹所は該第１の粘着体を含み、かつ該第２の縁部はその中に少なくとも１つの凹所を形成し、該少なくとも１つの凹所は該第２の粘着体を含む、前記方法。
【請求項２３】
請求項１７に記載の方法において、該第１の縁部は第１の複数の上方突出特徴部にして隣接した上方突出特徴部の間に第１の空所が形成された第１の複数の上方突出特徴部を有し、該第１の空所は該第１の粘着体を包含し、該第２の縁部は第２の複数の上方突出特徴部にして隣接した上方突出特徴部の間に第２の空所が形成された第２の複数の上方突出特徴部を有し、該第２の空所は該第２の粘着体を包含し、該第２の縁部及び該第１の縁部は実質的に同じに形作られ、かつ該第１の容器及び該第２の容器は、該第１の複数の上方突出特徴部及び該第２の複数の上方突出特徴部を押し合せて該第１の粘着体及び該第２の粘着体が互いに接触し解除可能に付着するようにすることにより、互いに解除可能に付着可能であるよう適合されている、前記方法。
【請求項２４】
紙容器組立体であって、
第１の連続的な本体部、第１の取っ手及び第２の取っ手を含む第１の紙容器にして、該第１及び第２の取っ手は該第１の本体部を取囲んで該本体部から横方向外方に突出し、該第１の取っ手は第１の粘着体を含み、該第２の取っ手は第２の粘着体を含む、前記第１の紙容器と、
第２の連続的な本体部、第３の取っ手及び第４の取っ手を含む第２の紙容器にして、該第３及び第４の取っ手は該第２の本体部を取囲んで該本体部から横方向外方に突出し、該第３の取っ手は第３の粘着体を含み、該第４の取っ手は第４の粘着体を含む、前記第２の紙容器とを備え、
該第１の容器及び該第２の容器は、該第１の取っ手及び該第３の取っ手を押し合せて該第１の粘着体及び該第３の粘着体が互いに接触し解除可能に付着するようにし、かつ該第２の取っ手及び該第４の取っ手を押し合せて該第２の粘着体及び該第４の粘着体が互いに接触し解除可能に付着するようにすることにより、互いに解除可能に付着可能であるよう適合されている、前記紙容器組立体。
【請求項２５】
請求項２４に記載の容器組立体において、該第１及び第２の容器の少なくとも一方は板紙を備える、前記容器組立体。
【請求項２６】
請求項２４に記載の容器組立体において、該第１、第２、第３及び第４の粘着体は同じである、前記容器組立体。
【請求項２７】
請求項２４に記載の容器組立体において、該第１、第２、第３及び第４の粘着体は水性粘着体である、前記容器組立体。
【請求項２８】
請求項２４に記載の容器組立体において、該第１の容器は第１の取っ手及び第２の取っ手を有し、該第１及び第２の取っ手は互いに反対側に位置し、かつ該第２の容器は第３の取っ手及び第４の取っ手を有し、該第３及び第４の取っ手は互いに反対側に位置する、前記容器組立体。
【請求項２９】
請求項２４に記載の容器組立体において、該第１の取っ手はその中に第１の凹所を形成し、該第２の取っ手はその中に第２の凹所を形成し、該第１及び第２の凹所はそれぞれの第１及び第２の粘着体を含み、かつ該第３の取っ手はその中に第３の凹所を形成し、該第４の取っ手はその中に第４の凹所を形成し、該第３及び第４の凹所はそれぞれの第３及び第４の粘着体を含む、前記容器組立体。
【請求項３０】
請求項２４に記載の容器組立体において、該第１の取っ手はその中に複数の第１の凹所を形成し、該第２の取っ手はその中に複数の第２の凹所を形成し、該第１及び第２の複数の凹所はそれぞれの第１及び第２の粘着体を含み、かつ該第３の取っ手はその中に複数の第３の凹所を形成し、該第４の取っ手はその中に複数の第４の凹所を形成し、該第３及び第４の複数の凹所はそれぞれの第３及び第４の粘着体を含む、前記容器組立体。
【請求項３１】
請求項２４に記載の容器組立体において、該第１及び第２の容器はボウルである、前記容器組立体。
【請求項３２】
請求項２４に記載の容器組立体において、該第１及び第２の容器は平皿である、前記容器組立体。
【請求項３３】
請求項２４に記載の容器組立体において、該第１の容器はボウルであり、該第２の容器は平皿である、前記容器組立体。
【請求項３４】
請求項２４に記載の容器組立体において、該第１の容器は該第２の容器と実質的に同じに形作られている、前記容器組立体。
【請求項３５】
請求項３４に記載の容器組立体において、該第１の容器は該第２の容器と同一である、前記容器組立体。
【請求項３６】
紙容器組立体の形成方法であって、該方法は、
第１の連続的な本体部、第１の取っ手及び第２の取っ手を含む第１の紙容器にして、該第１及び第２の取っ手は該第１の本体部を取囲んで該本体部から横方向外方に突出し、該第１の取っ手は第１の粘着体を含み、該第２の取っ手は第２の粘着体を含む、前記第１の紙容器を準備する行為と、
第２の連続的な本体部、第３の取っ手及び第４の取っ手を含む第２の紙容器にして、該第３及び第４の取っ手は該第２の本体部を取囲んで該本体部から横方向外方に突出し、該第３の取っ手は第３の粘着体を含み、該第４の取っ手は第４の粘着体を含む、前記第２の紙容器を準備する行為と、
該第１の容器及び該第２の容器の一方を裏返して、該第１の容器の該第１及び第２の取っ手が該第２の容器のそれぞれの第３及び第４の取っ手と概して整列されるようにする行為と、
該第１及び第３の取っ手を押し合せて該第１の粘着体及び該第３の粘着体が互いに接触し解除可能に付着するようにする行為と、
該第２及び第４の取っ手を押し合せて該第２の粘着体及び該第４の粘着体が互いに接触し解除可能に付着するようにする行為とを含む、前記方法。
【請求項３７】
請求項３６に記載の方法において、該第１及び第３の取っ手を押し合せる前かつ該第２及び第４の取っ手を押し合せる前に、該第１の容器及び該第２の容器の少なくとも一方に食品を配置する行為をさらに含む、前記方法。
【請求項３８】
請求項３６に記載の方法において、該第１及び第２の容器の少なくとも一方は板紙を備える、前記方法。
【請求項３９】
請求項３６に記載の方法において、該第１、第２、第３及び第４の粘着体は同じである、前記方法。
【請求項４０】
請求項３６に記載の方法において、該第１、第２、第３及び第４の粘着体は水性粘着体である、前記方法。
【請求項４１】
請求項３６に記載の方法において、該第１の容器は正確に第１の取っ手及び第２の取っ手を有し、該第１及び第２の取っ手は互いに反対側に位置し、かつ該第２の容器は正確に第３の取っ手及び第４の取っ手を有し、該第３及び第４の取っ手は互いに反対側に位置する、前記方法。
【請求項４２】
請求項３６に記載の方法において、該第１の取っ手はその中に第１の凹所を形成し、該第２の取っ手はその中に第２の凹所を形成し、該第１及び第２の凹所はそれぞれの第１及び第２の粘着体を含み、かつ該第３の取っ手はその中に第３の凹所を形成し、該第４の取っ手はその中に第４の凹所を形成し、該第３及び第４の凹所はそれぞれの第３及び第４の粘着体を含む、前記方法。
【請求項４３】
ヒンジ式の紙容器であって、
第１の連続的な本体部及び第１の表面を有する第１の縁部を含む紙基部にして、該第１の縁部は該第１の本体部を取囲んで該本体部から横方向外方に突出し、該第１の縁部の該第１の表面は第１の粘着体を含む、前記紙基部と、
第２の連続的な本体部及び第２の表面を有する第２の縁部を含む紙ふた部にして、該第２の縁部は該第２の本体部を取囲んで該本体部から横方向外方に突出し、該第２の縁部の該第２の表面は第２の粘着体を含み、該ふた部は該基部にヒンジ式に付着された、前記紙ふた部とを備え、
該第１の縁部及び該第２の縁部は、該第１及び第２の縁部を押し合せて該第１の粘着体及び該第２の粘着体が互いに接触し解除可能に付着するようにすることにより、互いに解除可能に付着可能であるよう適合されている、前記紙容器。
【請求項４４】
請求項４３に記載の容器において、該基部及び該ふた部の少なくとも一方は板紙を備える、前記容器。
【請求項４５】
請求項４３に記載の容器において、該第１及び第２の粘着体は同じである、前記容器。
【請求項４６】
請求項４３に記載の容器において、該第１及び第２の粘着体は水性粘着体である、前記容器。
【請求項４７】
請求項４３に記載の容器において、該第１の縁部はその中に少なくとも１つの凹所を形成し、該少なくとも１つの凹所は第１の粘着体を含み、かつ該第２の縁部はその中に少なくとも１つの凹所を形成し、該少なくとも１つの凹所は第２の粘着体を含む、前記容器。
【請求項４８】
請求項４７に記載の容器において、該第１の縁部は複数の凹所を形成し、かつ該第２の縁部は複数の凹所を形成する、前記容器。
【請求項４９】
請求項４３に記載の容器において、該第１の縁部はそこから概して上方に突出する第１の複数の波形にして該第１の複数の波形の隣接したものの間にはそれぞれ第１の空所が形成された第１の複数の波形を形成し、該それぞれの第１の空所は該第１の粘着体を包含し、第２の縁部はそこから概して上方に突出する第２の複数の波形にして隣接した該第２の複数の波形の間にはそれぞれ第２の空所が形成された第２の複数の波形を形成し、該それぞれの第２の空所は該第２の粘着体を包含し、かつ前記紙基部及び前記紙ふた部は、該第１の縁部及び該第２の縁部を押し合せて該第１の粘着体及び該第２の粘着体が互いに接触し解除可能に付着することにより、互いに解除可能に付着可能であるよう適合されている、前記容器。
【請求項５０】
ヒンジ式の紙容器の使用方法であって、該方法は、
第１の連続的な本体部及び第１の表面を有する第１の縁部を含む紙基部にして、該第１の縁部は該第１の本体部を取囲んで該本体部から横方向外方に突出し、該第１の縁部の該第１の表面は第１の粘着体を含む、前記紙基部を準備する行為と、
第２の連続的な本体部及び第２の表面を有する第２の縁部を含む紙ふた部にして、該第２の縁部は該第２の本体部を取囲んで該本体部から横方向外方に突出し、該第２の縁部の該第２の表面は第２の粘着体を含み、該ふた部は該基部にヒンジ式に付着された、前記紙ふた部を準備する行為と、
該第１及び第２の縁部を押し合せて該第１の粘着体及び該第２の粘着体が互いに接触し解除可能に付着するようにする行為とを含む、前記方法。
【請求項５１】
請求項５０に記載の方法において、該第１及び第２の縁部を押し合せる前に、該基部及び該ふた部の少なくとも一方に食品を配置する行為をさらに含む、前記方法。
【請求項５２】
請求項５０に記載の方法において、該基部及び該ふた部の少なくとも一方は板紙を備える、前記方法。
【請求項５３】
請求項５０に記載の方法において、該第１及び第２の粘着体は同じである、前記方法。
【請求項５４】
請求項５０に記載の方法において、該第１及び第２の粘着体は水性粘着体である、前記方法。
【請求項５５】
請求項５０に記載の方法において、該第１の縁部はその中に少なくとも１つの凹所を形成し、該少なくとも１つの凹所は第１の粘着体を含み、かつ該第２の縁部はその中に少なくとも１つの凹所を形成し、該少なくとも１つの凹所は第２の粘着体を含む、前記方法。
【請求項５６】
紙容器であって、
第１の連続的な本体部及び第１の縁部を含む紙基部にして、該第１の縁部は該第１の本体部を取囲んで該本体部から横方向外方に突出する、前記紙基部と、
第２の連続的な本体部及び第２の縁部を含む紙ふた部にして、該第２の縁部は該第２の本体部を取囲んで該本体部から横方向外方に突出する、前記紙ふた部とを備え、
該基部又は該ふた部のいずれかはタブを形成し、該基部及び該ふた部の他方はスロットを形成し、該タブは第２の粘着体を含む表面を有し、該基部及び該ふた部の該他方は第２の粘着体を含む表面を有し、該基部及び該ふた部は、該スロット中に該タブを延長させて該第１の粘着体及び該第２の粘着体が互いに接触し解除可能に付着するようにすることにより、互いに解除可能に付着可能である、前記紙容器。
【請求項５７】
請求項５６に記載の容器において、該ふた部はタブを形成し、該基部はスロットを形成する、前記容器。
【請求項５８】
請求項５７に記載の容器において、該基部の該第１の縁部はスロットを形成する、前記容器。
【請求項５９】
請求項５６に記載の容器において、該タブは該第１の粘着体及び該第２の粘着体が互いに接触し解除可能に付着するように曲るよう適合されている、前記容器。
【請求項６０】
請求項５６に記載の容器において、該タブは該第１の粘着体及び該第２の粘着体が互いに接触し解除可能に付着するように時計回りの方向に曲るよう適合されている、前記容器。
【請求項６１】
請求項５６に記載の容器において、該タブは該第１の粘着体及び該第２の粘着体が互いに接触し解除可能に付着するように反時計回りの方向に曲るよう適合されている、前記容器。
【請求項６２】
請求項５６に記載の容器において、該基部及び該ふた部の少なくとも一方は板紙を備える、前記容器。
【請求項６３】
請求項５６に記載の容器において、該第１及び第２の粘着体は同じである、前記容器。
【請求項６４】
請求項５６に記載の容器において、該第１及び第２の粘着体は水性粘着体である、前記容器。
【請求項６５】
紙容器組立体であって、
第１の連続的な本体部及びこれに一体的に接続されこれから延長する第１のフラップを含む第１の紙容器にして、該第１の連続的な本体部は該第１のフラップの反対に位置する第１の表面を有し、該第１の表面は第１の粘着体を有し、該第１のフラップは第２の粘着体を含む第１の内表面を有する、前記第１の紙容器と、
第２の連続的な本体部及びこれに一体的に接続されこれから延長する第２のフラップを含む第２の紙容器にして、該第２の本体部は該第２のフラップの反対に位置する第２の表面を有し、該第２の表面は第３の粘着体を有し、該第２のフラップは第４の粘着体を含む第２の内表面を有する、前記第２の紙容器とを備え、
該第１の紙容器及び該第２の紙容器は、該第１及び第４の粘着体を接触させ、かつ該第２及び第３の粘着体を接触させることにより、互いに解除可能に付着可能であるよう適合されている、前記紙容器組立体。
【請求項６６】
請求項６５に記載の容器組立体において、該第１及び第２の容器の少なくとも一方は板紙を備える、前記容器組立体。
【請求項６７】
請求項６５に記載の容器組立体において、該第１、第２、第３及び第４の粘着体は同じである、前記容器組立体。
【請求項６８】
請求項６５に記載の容器組立体において、該第１、第２、第３及び第４の粘着体は水性粘着体である、前記容器組立体。
【請求項６９】
請求項６５に記載の容器組立体において、該第１の容器は該第２の容器と実質的に同じに形作られている、前記容器組立体。
【請求項７０】
請求項６９に記載の容器組立体において、該第１の容器は該第２の容器と同一である、前記容器組立体。
【発明の詳細な説明】
【技術分野】
【０００１】
本発明は概して紙容器に関する。より詳細には、本発明はその中に粘着体を備えた解除可能に付着する容器組立体及び容器に関する。
【背景技術】
【０００２】
廉価な紙製包装容器の使用は、特に様々な食料品を調理し給仕するために普及している。紙容器はその中に入れられた食料品を加熱するために使用されている。
閉じたり開けたりするのが顧客にとって容易な紙容器を有することは望ましいであろう。解除可能に付着可能であり、かつ液体等の材料が容器から出てしまうのを防止又は抑制する容器を提供することも望ましいであろう。必ずしもふた部を有することなく機能し、しかし容器組立体を形成するためにふた部が望まれれば、顧客がそのような組立体を容易に形成できる容器は望ましいであろう。
【発明の概要】
【０００３】
１つの実施の形態によれば、紙容器組立体は第１及び第２の紙容器を備える。第１の紙容器は、第１の連続的な本体部、及び第１の表面を有する第１の縁部を含む。第１の縁部は第１の本体部を取囲んで該本体部から横方向外方に突出する。第１の縁部の第１の表面は第１の粘着体を含む。第２の紙容器は、第２の連続的な本体部、及び第２の表面を有する第２の縁部を含む。第２の縁部は第２の本体部を取囲んで該本体部から横方向外方に突出する。第２の縁部の第２の表面は第２の粘着体を含む。第１の容器と第２の容器とは、第１及び第２の縁部を押し合せて第１の粘着体及び第２の粘着体が互いに接触し解除可能に付着するようにすることにより、互いに解除可能に付着可能であるよう適合されている。
【０００４】
１つの方法によれば、紙容器組立体は、第１の連続的な本体部及び第１の表面を有する第１の縁部を含む第１の紙容器を準備することにより形成される。第１の縁部は第１の本体部を取囲んで該本体部から横方向外方に突出する。第１の縁部の第１の表面は第１の粘着体を含む。第２の連続的な本体部及び第２の表面を有する第２の縁部を含む第２の紙容器を準備する。第２の縁部は第２の本体部を取囲んで該本体部から横方向外方に突出する。第２の縁部の第２の表面は第２の粘着体を含む。第１の容器及び第２の容器の一方を裏返して、第１の容器及び第２の容器が概して整列し第１の縁部及び第２の縁部が互いに隣接するようにする。第１及び第２の縁部を押し合せて第１の粘着体及び第２の粘着体が互いに接触し解除可能に付着するようにする。
【０００５】
１つの実施の形態によれば、紙容器組立体に使用される紙容器は、連続的な本体部及び第１の表面を有する縁部を備える。縁部は本体部を取囲んで該本体部から横方向外方に突出する。縁部の第１の表面は第１の粘着体を含む。縁部は、該縁部を第２の容器の第２の粘着体を有する縁部と押し合せて第１及び第２の粘着体が互いに接触するようにすることにより、解除可能に付着可能であるよう適合されている。
【０００６】
別の実施の形態によれば、紙容器組立体は第１の紙容器及び第２の紙容器を備える。第１の紙容器は、第１の連続的な本体部、第１の取っ手及び第２の取っ手を含む。第１及び第２の取っ手は第１の本体部を取囲んで該本体部から横方向外方に突出する。第１の取っ手は第１の粘着体を含む。第２の取っ手は第２の粘着体を含む。第２の紙容器は、第２の連続的な本体部、第３の取っ手及び第４の取っ手を含む。第３及び第４の取っ手は第２の本体部を取囲んで該本体部から横方向外方に突出する。第３の取っ手は第３の粘着体を含み、一方第４の取っ手は第４の粘着体を含む。第１の容器及び第２の容器は、第１の取っ手及び第３の取っ手を押し合せて第１の粘着体及び第３の粘着体が互いに接触し解除可能に付着するようにし、かつ第２の取っ手及び第４の取っ手を押し合せて第２の粘着体及び第４の粘着体が互いに接触し解除可能に付着するようにすることにより、互いに解除可能に付着であるよう適合されている。
【０００７】
別の方法によれば、紙容器組立体は第１及び第２の紙容器を使用して形成される。第１の連続的な本体部、第１の取っ手及び第２の取っ手を含む第１の紙容器を準備する。第１及び第２の取っ手は第１の本体部を取囲んで該本体部から横方向外方に突出する。第１の取っ手は第１の粘着体を含み、一方第２の取っ手は第２の粘着体を含む。第２の連続的な本体部、第３の取っ手及び第４の取っ手を含む第２の紙容器を準備する。第３及び第４の取っ手は第２の本体部を取囲んで該本体部から横方向外方に突出する。第３の取っ手は第３の粘着体を含み、一方第４の取っ手は第４の粘着体を含む。第１の容器及び第２の容器の一方を裏返して、第１の容器の第１及び第２の取っ手が第２の容器のそれぞれの第３及び第４の取っ手と概して整列するようにする。第１及び第３の取っ手を押し合せて第１の粘着体及び第３の粘着体が互いに接触し解除可能に付着するようにする。第２及び第４の取っ手を押し合せて第２の粘着体及び第４の粘着体が互いに接触し解除可能に付着するようにする。
【０００８】
別の実施の形態によれば、容器組立体に使用される紙容器は、連続的な本体部、第１の取っ手及び第２の取っ手を備える。第１及び第２の取っ手は本体部を取囲んで該本体部から横方向外方に突出する。第１及び第２の取っ手は第１の粘着体を含む。第１及び第２の取っ手は、第１及び第２の取っ手を第２の容器の第２の粘着体を有するそれぞれの第３及び第４の取っ手に対して押すことにより、別の容器に解除可能に付着可能であるよう適合されている。
【０００９】
１つの実施の形態によれば、ヒンジ式の紙容器は紙基部及び紙ふた部を備える。紙基部は、第１の連続的な本体部及び第１の表面を有する第１の縁部を含む。第１の縁部は第１の本体部を取囲んで該本体部から横方向外方に突出する。第１の縁部の第１の表面は第１の粘着体を含む。紙ふた部は、第２の連続的な本体部及び第２の表面を有する第２の縁部を含む。第２の縁部は第２の本体部を取囲んで該本体部から横方向外方に突出する。第２の縁部の第２の表面は第２の粘着体を含む。ふた部は基部にヒンジ式に付着されている。第１の縁部及び第２の縁部は、第１及び第２の縁部を押し合せて第１の粘着体及び第２の粘着体が互いに接触し解除可能に付着するようにすることにより、互いに解除可能に付着可能であるよう適合されている。
【００１０】
１つの方法によれば、ヒンジ式の紙容器は、第１の連続的な本体部及び第１の表面を有する第１の縁部を含む紙基部を準備することにより形成される。第１の縁部は第１の本体部を取囲んで該本体部から横方向外方に突出する。第１の縁部の第１の表面は第１の粘着体を含む。第２の連続的な本体部及び第２の表面を有する第２の縁部を含む紙ふた部を準備する。第２の縁部は第２の本体部を取囲んで該本体部から横方向外方に突出する。第２の縁部の第２の表面は第２の粘着体を含む。ふた部は基部にヒンジ式に付着される。第１及び第２の縁部を押し合せて第１の粘着体及び第２の粘着体が互いに接触し解除可能に付着するようにする。
【００１１】
さらなる実施の形態によれば、紙容器は紙基部及び紙ふた部を備える。紙基部は第１の連続的な本体部及び第１の縁部を含む。第１の縁部は第１の本体部を取囲んで該本体部から横方向外方に突出する。紙ふた部は第２の連続的な本体部及び第２の縁部を含む。第２の縁部は第２の本体部を取囲んで該本体部から横方向外方に突出する。基部又はふた部のいずれかはタブを形成し、基部及びふた部の他方はスロットを形成する。タブは第２の粘着体を含む表面を有する。基部及びふた部の他方は第２の粘着体を含む表面を有する。基部及びふた部は、スロット中にタブを延長させて第１の粘着体及び第２の粘着体が互いに接触し解除可能に付着するようにすることにより、互いに解除可能に付着可能である。
【００１２】
さらに別の実施の形態によれば、紙容器組立体は第１の紙容器及び第２の紙容器を備える。第１の紙容器は、第１の連続的な本体部及びこれに一体的に接続されこれから延長する第１のフラップを含む。第１の連続的な本体部は第１のフラップの反対に位置する第１の表面を有する。第１の表面は第１の粘着体を有する。第１のフラップは第２の粘着体を含む第１の内表面を有する。第２の紙容器は、第２の連続的な本体部及びこれに一体的に接続されこれから延長する第２のフラップを含む。第２の本体部は第２のフラップの反対に位置する第２の表面を有する。第２の表面は第３の粘着体を有する。第２のフラップは第４の粘着体を含む第２の内表面を有する。第１の紙容器及び第２の紙容器は、第１及び第４の粘着体を接触させ、かつ第２及び第３の粘着体を接触させることにより、互いに解除可能に付着可能であるよう適合されている。
【発明の実施の形態】
【００１３】
本発明は、様々な改変及び代替の形態を受けやすいが、その具体的な実施の形態を図面に一例として示し、本書にて詳細に説明する。しかしながら、開示された特定の形態に本発明を限定することは意図されておらず、反対に本発明が添付の請求の範囲によって規定される本発明の精神及び範囲内に入るすべての改変物、均等物及び代替物に及ぶべきことは理解されるべきである。
【００１４】
図１ａ−ｃを参照すると、本発明の１つの実施の形態による紙容器組立体１００が示されている。容器組立体は容器１０及び第２の容器１１０を含む。容器１０、１１０は容器１０と実質的に同じ又は代替的に同一であることができ、解除可能に係止可能な容器組立体を形成する。
【００１５】
図１ａ−ｃのもののほかに他の容器組立体を形成することができると考えられる。例えば、容器組立体は、非制限的に、平皿、ボウル、大皿、おけ、一人前用の及びファミリーサイズの容器、一人前用の及びファミリーサイズの耐熱食器、並びにそれらの組合せを使用して容器組立体を形成することができる。１つのそのような組合せは、容器組立体を形成するボウルと平皿である。以下本出願は概して平皿に関し容器及び容器組立体を論じるが、上述のもの等の他の容器組立体を形成できることは当業者により認められる。
【００１６】
容器組立体の高さ及び形状は、本発明の範囲を逸脱することなく図示したそれと異なることができる。例えば、図１ａ−ｃの容器組立体は、後述のように概して円形のものとして表されている。本書にて使用される容器組立体及び容器は、長方形、正方形、六角形、八角形、他の多角形状、又は楕円形等の非多角形状等の他の形状であることができると考えられる。
【００１７】
本発明の容器組立体及び容器は一般に食物に関して使用されるが、家庭用品、医薬品、化粧品又は他の物品を保存する等の他の用途に使用することができる。食物容器組立体及び容器としては、食物を給仕し、保存し、調理し及び／又は再加熱するのに使用することができる。
【００１８】
なおも図1ａ−ｃを参照すると、紙容器１０は連続的な本体部１２、及び本体部１２を取囲んで該本体部から横方向外方に突出する連続的な縁部１４を含む。本体部１２は底部１６、及び底部１６を取囲んで該底部から上方外方に突出する連続的な側壁部１８を含む。側壁部は底部１６から上方にのみ突出することもでき、又は底部１６から上方内方に突出することさえもできると考えられる。また縁部は望ましくは連続的であるが、連続的でないこともできると考えられる。
【００１９】
図1ａ、ｃに示すように、縁部１４は表面１４ａ（図１ａの容器１０の上表面）を含む。縁部１４は粘着体２０を含む。粘着体は本書ではそれ自体に付着する材料として定義される。使用できる種類の粘着体の一例は水溶性の粘着体である。使用できる粘着体の１つの具体例は、Ｅｌｌｓｗｏｒｔｈ  Ａｄｈｅｓｉｖｅｓ社から入手できる粘着体である製品番号第Ｃ−２１５９Ｐ８５号である。この特定の粘着体は華氏約２０度（摂氏約−６．７度）から華氏約４００度（摂氏約２０４．４度）の温度にてそれ自体に付着する。
【００２０】
粘着体の使用は外部の掛け金機構の必要性を打消す。これは例えば図１ａ−ｃの容器組立体１００において示される。以下に図５ａ−ｃ、６ａ−ｃとの関連で論じるように、粘着体の使用は、しかしながら容器それ自体から作出される機械的な係止機能を補助することができる。
【００２１】
他の粘着体を使用することができると考えられる。例えば、非水溶性の粘着体を使用できると考えられる。しかしながら、非水溶性の粘着体は、（ａ）食物に関係する用途においてＦＤＡの承認を得ること、及び（ｂ）紙容器自体との反応が起り得る、等の不利点を有することがある。
【００２２】
本発明の粘着体は概して約０．５ｌｂより大きい引張り力を有し、一般には１．０ｌｂより大きい引張り力を有する。
粘着体２０は図１ａに、縁部表面１４ａの周りにかつ該表面の全体の形状において連続的に適用されるものとして示されている。粘着体は、例えば図１ａに示す一部よりむしろ縁部の全表面に適用することができる。別の実施の形態によれば、粘着体は縁部表面の実質的な部分部分に適用される。粘着体はまた模様のように縁部の周りに断続的に適用することができる。
【００２３】
粘着体２０は様々な方法により縁部１４に適用することができる。例えば、粘着体を縁部上に吹付けることができる。吹付けは、粘着体を効率的に使用し、同時に所望の保持力を提供するため模様で行うことができる。別の方法によれば、粘着体は縁部上に印刷することができる。使用できる非制限的な印刷技術には、スクリーン印刷、フレキソ印刷及び静電スクリーン印刷が含まれる。所望の保持力を達成するため十分な量の粘着体２０が適用されるのを可能にするのであれば、粘着体２０を縁部１４に適用するのに任意の適用方法を使用することができる。
【００２４】
なおも図１ａ−ｃを参照すると、紙容器１１０は、連続的な本体部１１２、及び本体部１１８を取囲んで該本体部から横方向外方に突出する連続的な縁部１１４を含む。本体部１１２は底部１１６、及び底部１１６を取囲んで該底部から上方外方に突出する連続的な側壁部１１８を含む。側壁部は底部１１６から上方にのみ突出することも、又は底部１１６から上方内方に突出することさえもできると考えられる。また縁部は望ましくは連続的であるが、連続的でないこともできると考えられる。
【００２５】
縁部１１４は表面１１４ａ（図１ａの容器１１０の最も底部の表面）を含む。縁部１１４は粘着体１２０を含む（図１ｃ参照）。粘着体は粘着体２０に関連して上述したのと同じであることができる。粘着体２０、１２０は一般的には同じである。これらの粘着体は、粘着体２０、１２０が互いに解除可能に付着できる限り異なったものであることができると考えられる。
【００２６】
紙容器１０、１１０は、縁部１４、１１４を押合わせて粘着体２０、１２０が互いに接触し解除可能に付着するようにすることにより、互いに解除可能に付着可能であるよう適合されている。
【００２７】
図１ｃに最も良く示されるように、縁部１４はその中に少なくとも１つの凹所３０を形成する。同様に、縁部１１４はその中に少なくとも１つの凹所１３０を形成する。凹所３０は粘着体２０を含み、一方凹所１３０は粘着体１２０を含む。凹所３０、１３０を使用することにより、紙容器１０、１１０は、縁部１４、１１４が押合わされた後にのみ互いに解除可能に付着されるが、それは粘着剤２０、１２０が最初は縁部１４、１１４の残部の表面より下にのみ位置するからである。図１ｃは縁部１４、１１４が押合わされた後の付着した紙容器１０、１１０を示す。
【００２８】
別の実施の形態によれば、容器組立体は各々の縁部が複数の凹所を形成する縁部らを含むことができる。例えば、図２を参照すると、縁部４４は本体部（例えば、本体部１２）を取囲んで該本体部から横方向外方に突出する。縁部４４は、各々の凹所がそれぞれの粘着体５０ａ、ｂを包含する複数の凹所４６ａ、ｂを形成する。縁部４４は、各々の凹所がそれぞれの粘着体１５０ａ、ｂを包含する複数の凹所１４６ａ、ｂを含む縁部１４４と押合わされる。縁部４４、１４４は上述の縁部１４、１１４と同様に機能する。凹所の数及び凹所の寸法は図２に示すそれと異なることができると考えられる。
【００２９】
さらなる実施の形態によれば、容器組立体は各々の縁部が複数の波形を形成する縁部を含むことができる。例えば、図３を参照すると、縁部６４は本体部（例えば本体部１２）を取囲んで該本体部から横方向外方に突出する。縁部６４はそこから概して上方に突出する複数の波形６６ａ−ｃを形成し、該複数の波形６６ａ−ｃの隣接したものの間にはそれぞれ空所６８ａ、ｂが形成される。各々の空所６８ａ、ｂはそれぞれの粘着体７０ａ、ｂを包含する。縁部６４は縁部１６４と押合わされるが、後者はそこから概して上方に突出する複数の波形１６６ａ−ｃを形成し、該複数の波形１６６ａ−ｃの隣接したものの間にはそれぞれ空所１６８ａ、ｂが形成される。各々の空所１６８ａ、ｂはそれぞれの粘着体１７０ａ、ｂを包含する。
【００３０】
縁部６４、１６４を包含する容器は、縁部６４、１６４を押合せて粘着体７０ａ、ｂがそれぞれの粘着体１７０ａ、ｂと接触し解除可能に付着するようにすることにより、互いに解除可能に付着可能である。波形の数は図３に示すそれと異なることができると考えられる。
【００３１】
さらなる実施の形態によれば、容器組立体は各々の縁部が概して平らな表面を有する縁部らを含むことができる。例えば、図４を参照すると、縁部７４は本体部（例えば本体部１２）を取囲んで該本体部から横方向外方に突出する。粘着体８０は縁部７４の表面７４ａ（図４で見て縁部７４の上表面）と接触する。縁部７４は、粘着体１８０が縁部１７４
の表面１７４ａ（図４で見て縁部の下表面）と接触する縁部１７４と押合わされる。
【００３２】
別の実施の形態によれば、具体的には図５ａ−ｃを参照すると、紙容器２１０は連続的な本体部２１２、及び本体部２１２を取囲んで該本体部から横方向外方に突出する連続的な縁部２１４を含む。本体部２１２は底部２１６、及び底部２１６を取囲んで該底部から上方外方に突出する連続的な側壁部２１８を含む。側壁部は底部２１６から上方にのみ突出することも、又は底部２１６から上方内方に突出することさえできると考えられる。縁部は望ましくは連続的であるが、連続的でないこともできると考えられる。
【００３３】
連続的な縁部２１４はそこから概して上方に突出する複数のリブ２２０を含む。複数のリブ２２０は紙容器２１０の全周の周りに間隔をおいて配置され、解除可能に係止可能な容器組立体を形成するのを補助する。複数のリブ２２０の向きは縁部２１４の方向と概して垂直な模様を作出する。より具体的には、複数のリブ２２０の向きは縁部１４の方向と垂直な模様を作出することができる。縁部の方向と垂直な模様を備えた放射状の構成において、複数のリブ２２０の各々は、内方に延長させたとすれば平皿の全体中心を通過する。複数のリブのほかに他の特徴部が連続的な縁部から上方に突出することもできると考えられる。
【００３４】
しかしながら、複数のリブ２２０は、縁部２１４に関し図５ｂに示したのとは異なった模様で形成することができる（例えば、斜めに）。複数のリブ２２０を審美的な理由から装飾的な模様で形成することが望ましいことがある。そのような装飾的な特徴は、容器２１０の解除可能で係止可能な特徴を”隠す”又は覆うのを補助することができる。図５ｂの容器２１０は連続的な縁部２１４に形成された正確には６０のリブを有する。リブの数は図５ｂに示すそれと異なることができると考えられる。例えば、容器は約３から約１０のリブを有することができる。容器は約２０又は約４０より多くのリブを有することができ、かつ約１２０まで又はそれより多くのリブを有することさえできる。リブの数は概して約２０から約６０リブである。
【００３５】
図５ｃに転じると、複数のリブ２２０がより詳細に示されている。具体的には、図５ｃの断面図は連続的な縁部２１４から上方に突出する２つの隣接したリブを示す。図５ｃは第１のリブ２２０ａ及び第２のリブ２２０ｂを表し、それらの間には空所２２２が形成されている。図５ｃの第１のリブ２２０ａは、２つの側壁部２２６、２２８を架橋する概して平らな表面２２４を備える。第１のリブ２２０ａは連続的な縁部１４の残部の平面と概して直角をなすものとして示されている。具体的には、第１のリブ２２０ａは、図５ｃにおいて縁部２１４の残部に沿って形成された平面ＣＣと概して直角をなすものとして示されている。より具体的には、リブは縁部の残部の平面と直角をなすことができる。側壁部２２６、２２８は互いに離隔され、縁部２１４の残部の平面ＣＣと概して直角をなすものとして示されている。しかしながら、側壁部２２６、２２８は縁部２１４の残部と必ずしも概して直角を又は直角をなさなければならないものではない。
【００３６】
同様に、図５ｃの第２のリブ２２０ｂは２つの側壁部２３２、２３４を架橋する概して平らな表面２３０を備える。第２のリブ２２０ｂも縁部２１４の残部の平面ＣＣと概して直角をなすものとして示されている。側壁部２３２、２３４は互いに離隔され、縁部１４の残部の平面ＣＣと概して直角をなすものとして示されている。しかしながら、側壁部２３２、２３４は必ずしも縁部２１４の残部と概して直角を又は直角をなければならないものではない。
【００３７】
改良された係止式容器組立体を提供するため、１つの実施の形態において、粘着体がリブ間に形成された空所に追加され、かつリブ自体の概して平坦な表面に追加される。例えば、図５ｃにおいて、粘着体２４０ａ、ｂは隣接したリブ間に形成された空所に追加される。加えて、図５ｃに示すように、粘着体２４２ａ、ｂがそれぞれの表面２２４、２３０に追加される。これらの粘着体は粘着体２０に関連して上述したのと同じであることができる。
【００３８】
加えて、改良された係止式容器組立体をさらに提供するため、リブ側壁部の少なくとも一方はアンダーカットを有することができる。そのようなリブ側壁部に形成された随意のアンダーカットは、容器組立体を形成する時に、第２の容器の隣接したリブ間に形成された対応する空所における同様のアンダーカットと係合する。例えば、図５ｃにおいて、随意のアンダーカット２２６ａ、２２８ａはそれぞれの側壁部２２６、２２８に形成される。複数のリブ２２０の形状及びサイズは図５ａ−ｃに示すそれと異なることができると考えられる。
【００３９】
本発明の１つの実施の形態による紙容器組立体３００を図６ａ−ｃに表す。紙容器組立体３００は第１の容器２１０及び第２の容器３１０を含む。１つの実施の形態において、第２の容器３１０は第１の容器２１０と実質的に同じに形作られる。代替的に、第２の容器３１０は第１の容器２１０と同一であることができる。
【００４０】
図６ａ、ｂの紙容器組立体３００は、１つの方法によれば第１の容器２１０及び第２の容器３１０を準備することにより形成することができる。第２の容器３１０は連続的な本体部３１２、及び本体部３１２を取囲んで該本体部から横方向外方に突出する連続的な縁部３１４を含む。
【００４１】
第２の容器３１０を第１の容器２１０に対し１８０度裏返して、容器２１０、３１０が概して整列され縁部２１４、３１４が互いに隣接するようにする。容器２１０に対するこの裏返された容器３１０の位置を図６ａに示す。リブをそれぞれの空所に嵌め込むため、容器３１０をわずかに回転させてリブをずらさなければ（すなわち、リブと空所とを整列させなければ）ならないことがある。消費者が容器らを組立てて本発明の容器組立体を形成できることが望ましい。
【００４２】
図６ｃを参照すると、容器３１０の隣接したリブ３２０ａ、３２０ｂは容器２１０のそれぞれの第２の空所２２２ａ、２２２ｂに嵌め込まれ、容器２１０のリブ２２０ａ、２２０ｂはそれぞれの空所３２２ａ、３２２ｂに嵌め込まれて、容器組立体３００は解除可能に係止可能である。リブをそれぞれの空所に嵌め込むため、容器３１０をわずかに回転させてリブをずらさなければ（すなわち、リブと空所とを整列させなければ）ならないことがある。粘着体２４０ａ、ｂはそれぞれの粘着体２５０ａ、ｂと解除可能に付着し、一方粘着体２４２ａ、ｂはそれぞれの粘着体２５２ａ、ｂと解除可能に付着する。上述のように、粘着体２４０、２５０は望ましくは同じであるが、それらが互いに解除可能に付着する限り異なることができる。図６ｃはまた第１のリブ２２０ａと、容器３１０のリブ３２０ａ、３２０ｂ間に作出された空所３２２ａとの間に形成された干渉区域３２４ａ、３２４ｂを表す。
【００４３】
図７ａを参照すると、紙容器４１０は連続的な本体部４１２、及び本体部４１２を取囲んで該本体部から横方向外方に突出する複数の取っ手４２４、４２６を含む。本体部４１２は底部４１６、及び底部４１６を取囲んで該底部から上方外方に突出する連続的な側壁部４１８を含む。側壁部は底部４１６から上方にのみ突出することも、底部４１６から上方内方に突出することさえもできると考えられる。複数の取っ手４２４、４２６の各々はそれぞれの表面４２４ａ、４２６ａ（図７ａにおける上表面）を含む。表面４２４ａ、４２６ａは、それぞれの粘着体４２０、４２２を含むそれぞれの凹所を形成する（例えば、図７ｃの凹所４３０参照）。粘着体４２０、４２２は、粘着体２０に関連して上述したのと同じであることができる。粘着体４２０、４２２は一般的には同じである。これらの粘着体は互いに解除可能に付着できる限り異なったものであることができると考えられる。
【００４４】
図７ｂ、ｃを参照すると、紙容器組立体４００は紙容器４１０及び紙容器４６０を含む。紙容器４６０は連続的な本体部４６２、及び本体部４６２を取囲んで該本体部から横方向外方に突出する複数の取っ手４７４、４７６を含む。本体部４６２は底部４６６、及び底部４６６を取囲んで該底部から上方外方に突出する連続的な側壁部４６８を含む。図７ｂの容器４６０の向きは、容器４６０が１８０度裏返されているので、上述したそれとは反対である。側壁部は底部４６６から上方にのみ突出することも、又は底部４６６から上方内方に突出することさえもできると考えられる。
【００４５】
複数の取っ手４７４、４７６の各々は凹所を形成するそれぞれの表面を含む。各々の凹所はそれぞれの粘着体を包含する。例えば、図７ｃにおいて、取っ手４７６は凹所４８０を形成する表面４７６ａ（図７ｃの容器４６０の底部表面）を含む。凹所４８０は粘着体４７２を包含する。複数の取っ手４２４、４２６、４７４及び４７６に使用される粘着体は、粘着体２０に関連した上述したのと同じであることができる。
【００４６】
紙容器４１０及び紙容器４６０は、複数の取っ手４２４、４２６、４７４及び４７６を押合せてそれぞれの粘着体が互いに接触し解除可能に付着するようにする（粘着体４２２及び４７２を備えた図７ｃ参照）ことにより、互いに解除可能に付着可能であるよう適合されている。
【００４７】
上述のように、複数の取っ手の各々はその中に少なくとも１つの凹所を形成する。例えば、図７ｃにおいて、取っ手４２６は粘着体４２２を含む凹所４３０を形成し、取っ手４７６は粘着体４７２を包含する凹所４８０を形成する。凹所４３０、４８０を使用することにより、紙容器４１０、４６０は取っ手らが押合わされた後にのみ解除可能に付着されるが、それは粘着体４２２、４７２は最初は取っ手４２６、４７６の残部表面より下にのみ位置するからである。図７ｃは取っ手らが押合わされた後の紙容器４１０、４６０を示す。その他の取っ手４２４、４７４は図７ｃに示す取っ手４２６、４７６と同様に機能する。
【００４８】
別の実施の形態によれば、容器組立体は複数の凹所を形成する複数の取っ手を含むことができる。例えば、図８を参照すると、容器組立体５１０は複数の取っ手（図８には取っ手５１４、５２４を示す）を含む。取っ手５１４は本体部（例えば本体部１２）を取囲んで該本体部から横方向外方に突出する。取っ手５１４は、各々の凹所がそれぞれの粘着体５２０ａ、ｂを包含する複数の凹所５１６ａ、ｂを形成する。取っ手５１４は、各々の凹所がそれぞれの粘着体５３０ａ、ｂを包含する複数の凹所５２６ａ、ｂを含む取っ手５２４と押合わされる。取っ手５１４、５２４は上述の取っ手４２６、４７６と同様に機能する。凹所の数は図８に示すそれと異なることができると考えられる。
【００４９】
さらなる実施の形態によれば、容器組立体は、各々の取っ手が複数の波形を形成する複数の取っ手を含むことができる。例えば、図９を参照すると、容器組立体５４０は複数の取っ手（図９には取っ手５４４、５５４を示す）を含む。取っ手５４４は本体部（例えば、本体部１２）を取囲んで該本体部から横方向外方に突出する。取っ手５４４はそこから概して上方に突出する複数の波形５４６ａ−ｃを形成し、該複数の波形５４６ａ−ｃの隣接したものの間にはそれぞれ空所５４８ａ、ｂが形成される。各々の空所５４８ａ、ｂはそれぞれの粘着体５５０ａ、ｂを包含する。取っ手５４４は第２の容器の取っ手５５４と押合わされる。取っ手５５４はそこから概して上方に突出する複数の波形５５６ａ−ｃを形成し、該複数の波形５５６ａ−ｃの隣接したものの間にはそれぞれ空所５５８ａ、ｂが形成される。各々の空所５５８ａ、ｂはそれぞれの粘着体５６０ａ、ｂを包含する。
【００５０】
取っ手を包含する容器らは、取っ手を押合せて粘着体５５０ａ、ｂがそれぞれの粘着体５６０ａ、ｂと接触し解除可能に付着するようにすることにより、互いに解除可能に付着可能であるよう適合されている。波形の数は図９に示すそれと異なることができると考えられる。
【００５１】
さらなる実施の形態によれば、容器組立体は概して平らな表面を備えた複数の取っ手を含むことができる。例えば、図１０を参照すると、容器組立体５７０は複数の取っ手（図１０には取っ手５７４、５８４を示す）を含む。取っ手５７４は本体部（例えば、本体部１２）を取囲んで該本体部から横方向外方に突出する。粘着体５８０は取っ手５７４の表面５７４ａと接触する。取っ手５７４は別の容器５８０の取っ手５８４と押合わされる。取っ手５８４は粘着体５９０を含む表面５８４ａを含む。粘着体５８０、５９０は互いに接触し解除可能に付着して容器組立体５７０を形成する。
【００５２】
図１１ａ、ｂに示す別の実施の形態によれば、ヒンジ式の紙容器６００は紙基部６１０及び紙ふた部６３０を備え、ふた部６３０はヒンジ６５０を介して紙基部６１０にヒンジ式に付着される。紙基部６１０は連続的な本体部６１２、及び表面６１４ａを有する連続的な縁部６１４を含む。縁部６１４は本体部６１２を取囲んで該本体部から横方向外方に突出する。縁部６１４の表面６１４ａは粘着体６２０を含む。
【００５３】
紙ふた部６３０は連続的な本体部６３２、及び表面６３４ａを有する連続的な縁部６３４を含む。縁部６３４は本体部６３２を取囲んで該本体部から横方向外方に突出する。縁部６３４の表面６３４ａは粘着体６４０を含む。粘着体６２０、６４０は粘着体２０に関連して上述したのと同じであることができる。粘着体６２０、６４０は一般的には同じであるが、互いに解除可能に付着することができる限り異なることができると考えられる。縁部６１４、６３４は、縁部６１４、６３４を押合わせて粘着体６２０、６４０が互いに接触し解除可能に付着するようにすることにより、互いに解除可能に付着可能であるよう適合されている。
【００５４】
１つの実施の形態によれば、縁部６１４、６３４はそれらの中にそれぞれの凹所を形成し、各々の凹所は粘着体を包含する。具体的には、図１１ｃに示すように、縁部６１４、６３４はそれらの中にそれぞれの凹所６２８、６４８を形成する。凹所６２８、６４８はそれぞれの粘着体６２０、６４０を含む。凹所６２８、６４８を使用することにより、ヒンジ式の紙容器は縁部６１４、６３４が押合わされた後にのみ閉じた位置に配置されるが、それは粘着体６２０、６４０は最初は縁部６１４、６３４の残部表面より下に位置するからである。図１１ｃは押合わされた後の縁部６１４、６３４を示す。
【００５５】
ヒンジ式の紙容器の高さ及び形状は、本発明の範囲を逸脱することなく、図１１ａ、ｂに示すそれと異なることができる。例えば、図１１ａ、ｂのヒンジ式の紙容器は概して正方形のものとして表されている。ヒンジ式の紙容器は、円形、長方形、六角形、八角形、他の多角形状、又は楕円形等の非多角形状等の他の形状であることができると考えられる。
【００５６】
ヒンジ式の紙容器は、図１１ａ−ｃに表すのとは異なって形作られた縁部上に粘着体を包含することができる。例えば、１つの実施の形態において、ヒンジ式の紙容器は、図２の縁部４４、１４４等の、粘着体を包含する複数の凹所を形成する縁部を含む。別の実施の形態によれば、ヒンジ式の紙容器は、図３における縁部６４、１６４等の、粘着体を包含する複数の波形を形成する縁部を含む。さらなる実施の形態によれば、ヒンジ式の紙容器は、図４における縁部７４、１７４等の、粘着体を備えた概して平らな表面を有する縁部を含む。
【００５７】
図１２ａ−ｄに示す別の実施の形態によれば、ヒンジ式の紙容器７００は紙基部７１０及び紙ふた部７３０を備え、ふた部７３０はヒンジ７５０を介して紙基部７１０にヒンジ式に付着される。紙基部７１０は連続的な本体部７１２及び連続的な縁部７１４を含む。縁部７１４は本体部７１２を取囲んで該本体部から横方向外方に突出する。紙ふた部７３０は連続的な本体部７３２及び連続的な縁部７３４を含む。縁部７３４は本体部７３２を取囲んで該本体部から横方向外方に突出する。
【００５８】
１つの実施の形態によれば、紙ふた部７３０はタブ７６０を形成し、紙基部７１０はスロット又は開口部７７０を形成する（図１２ｂ参照）。タブ７６０は粘着体７６２を含む表面７６０ａを有する。基部７１０は粘着体７７２を含む表面７１４ａを備えた縁部７１４を含む。基部７１０とふた部７３０とは、スロット７７０中にタブ７６０を延長させて粘着体７６２、７７２が互いに接触し解除可能に付着するようにすることにより、互いに解除可能に付着可能である。図１２ｂ−ｄに示すように、タブ７６０はスロット７７０を通じて延長し、粘着体７６２、７７２が互いに接触し解除可能に付着するように屈曲（矢印Ａの反時計回りの方向に）するよう適合されている。
【００５９】
粘着体７６２、７７２は粘着体２０に関連して上述したのと同じであることができる。粘着体７６２、７７２は一般的には同じであるが、互いに解除可能に付着できる限り異なることができると考えられる。
【００６０】
タブ７６０はスロット７７０を通じて延長し、時計回りの方向（図１２ｃの矢印Ａと反対の方向）に上方に押圧されて、粘着体が互いに接触し解除可能に付着するようにすることができると考えられる。そのような実施の形態において、粘着体は表面７６０ａと反対の表面７６０ｂ（図１２ｂ参照）に位置することになろう。紙基部上の粘着体の位置は図１２ｂで見てスロット７７０の左方に位置することになろう。そのような実施の形態において、スロット又は開口部は、粘着体が互いに付着するためのより大きい表面積を提供するため、図１２ｂで見てさらに右方に移動させることができる。
【００６１】
ヒンジ式の紙容器の高さ及び形状は、本発明の範囲を逸脱することなく、図１２ａ−ｄに示すそれと異なることができる。例えば、図１２ａ−ｄのヒンジ式の紙容器は概して正方形のものとして表されている。ヒンジ式の紙容器は、円形、長方形、六角形、八角形、他の多角形状、又は楕円形等の非多角形状等の他の形状であることができると考えられる。粘着体は図１１ａ−ｃに示す等の縁部上に含ませることができると考えられる。
【００６２】
図１３ｃに示す別の実施の形態によれば、紙容器組立体８００は紙容器８１０（図１３ａ−ｃ）及び紙容器８５０（図１３ｃ）を備える。紙容器８１０は連続的な本体部８１２、及びこれに一体的に接続されこれから延長するフラップ８１４を含む。本体部８１２はフラップ８１４の反対に位置する表面８１２ａを有する。表面８１２ａは粘着体８２０を含む。フラップ８１４は粘着体８３０を含む表面８１４ａを有する。
【００６３】
紙容器８５０（図１３ｃ）は連続的な本体部８５２、及びこれに一体的に接続されこれから延長するフラップ８５４を含む。本体部８５２はフラップ８５４の反対に位置する表面８５２ａを有する。表面８５２ａは粘着体８７０を含む。フラップ８５４は粘着体８８０を含む表面８５４ａを有する。容器８１０、８５０は、粘着体８２０、８８０を互いに接触させ、かつ粘着体８３０、８７０を互いに接触させることにより、互いに解除可能に付着可能であるよう適合されている。
【００６４】
粘着体８２０、８３０、８７０及び８８０は粘着体２０に関連して上述したのと同じであることができる。粘着体８２０、８３０、８７０及び８８０は一般的には同じであるが、互いに解除可能に付着することができる限り異なることができると考えられる。
【００６５】
容器組立体は複数のフラップを含むことができると考えられる。例えば、容器組立体を形成する各々の紙容器は粘着体を備えた２つのフラップを含むことができる。これらのフラップの各々は、粘着体を互いに接触させることにより他方の容器に解除可能に付着可能であるよう適合されている。
【００６６】
本発明の容器及び容器組立体（例えば、図１−１３において上述した容器）は紙材料から形成される。紙容器及び容器組立体は板紙、積層紙又は成形繊維等の材料から形成することができる。当業者は他の紙材料又は紙材料の組合せを使用して容器及び容器組立体を形成することができることを認めると考えられる。本発明の容器組立体を形成するのに使用される容器は、例えば従来の紙加工技術を使用することにより形成することができる。
【００６７】
本発明の容器及び容器組立体は一般的には使い捨てであるが、それらは将来の時に再利用することができると考えられる。容器組立体を形成するのに使用される容器（例えば容器１０）は１つの区画を含むものとして示されている。容器は多数の区画から形成されることができると考えられる。そのような容器は異なった区画に物品（例えば食品）を配置して物品が混じり合うのを防止又は抑制するのに望ましい。例えば、食品の望ましくない混合は食品の味わい及び一貫性を損うことができる。
【００６８】
本発明の容器組立体及び容器は一般的には食物に関して使用されるが、家庭用品、医薬品、化粧品又は他の物品を保存する等の他の用途に使用することができる。食物容器組立体及び容器としては、食物を給仕し、保存し、調理し及び／又は再加熱するのに使用することができる。
【００６９】
そのような容器組立体を使用する方法は、食物を配置し容器らを係止して食物が入れられた容器組立体を形成することを含む。容器組立体はその後加熱装置内に配置され加熱される。一般的な加熱装置にはマイクロ波及び従来のオーブンが含まれる。容器組立体は固形食料品を包含することができる。容器組立体は冷蔵庫及び／又は冷凍庫内での保存に使用することができる。
【００７０】
本発明の特定の実施の形態及び適用例を図示し説明したが、本発明は本書に開示した精密な構成に限定されるものではなく、様々な改変例、変更例及び変形例が、添付の請求の範囲で規定される本発明の精神及び範囲を逸脱することなく、先の説明から明らかとなり得ることは理解されるべきである。
【図面の簡単な説明】
【００７１】
【図１】図１ａは、本発明の１つの実施の形態による容器組立体の分解図である。図１ｂは、閉じた位置における図１ａの容器組立体の図である。図１ｃは、図１ｂの容器組立体の部分拡大図である。
【図２】概して閉じた位置における別の実施の形態による縁部領域を示す容器組立体の部分拡大図である。
【図３】概して閉じた位置におけるさらなる実施の形態による縁部領域を示す容器組立体の部分拡大図である。
【図４】概して閉じた位置におけるさらに別の実施の形態による縁部領域を示す容器組立体の部分拡大図である。
【図５】図５ａは、１つの実施の形態による容器組立体に使用される容器の側面図である。図５ｂは、図５ａの容器の上面図である。図５ｃは、概して図５ｂの線５ｃ−５ｃに沿った拡大断面図である。
【図６】図６ａは、本発明の１つの実施の形態による図５ａの容器及び図５ａの第２の同一の容器を使用した、解除可能に係止可能な位置における容器組立体の側面図である。図６ｂは、図６ａの容器組立体の上面図である。図６ｃは、概して図６ｂの線６ｃ−６ｃに沿った拡大断面図である。
【図７】図７ａは、１つの実施の形態による容器組立体に使用される、複数の取っ手を備えた容器の上面図である。図７ｂは、本発明の１つの実施の形態による図７ａの容器及び図７ａの第２の同一の容器を使用した、解除可能に係止可能な位置における容器組立体の側面図である。図７ｃは、概して図７ｂの取っ手領域を示す容器組立体の部分拡大図である。
【図８】概して閉じた位置における別の実施の形態による取っ手領域を示す容器組立体の部分拡大図である。
【図９】概して閉じた位置におけるさらなる実施の形態による取っ手領域を示す容器組立体の部分拡大図である。
【図１０】概して閉じた位置におけるさらに別の実施の形態による取っ手領域を示す容器組立体の部分拡大図である。
【図１１】図１１ａは、開いた位置における本発明の１つの実施の形態によるヒンジ式の容器の斜視図である。図１１ｂは、閉じた位置における図１１ａの容器の斜視図である。図１１ｃは、図１１ｂのヒンジ式の容器の部分拡大図である。
【図１２】図１２ａは、開いた位置における本発明の別の実施の形態によるヒンジ式の容器の斜視図である。図１２ｂ−ｄは、概して１つの実施の形態による開及び閉位置における縁部に向けられた図１２ａのヒンジ式の容器の部分拡大図である。
【図１３】図１３ａは、１つの実施の形態による容器組立体に使用される、フラップを備えた容器の正面図である。図１３ｂは、図１３ａの容器の側面図である。図１３ｃは、本発明の１つの実施の形態による図１３ａの容器及び図１３ａの第２の同一の容器を使用した、解除可能に係止可能な位置における容器組立体の側面図である。
【符号の説明】
【００７２】
１０・・・・・・第１の容器
１２・・・・・・本体部
１４・・・・・・縁部
１４ａ・・・・・表面
１６・・・・・・底部
１８・・・・・・側壁部
２０・・・・・・粘着体
３０・・・・・・凹所
１００・・・・・紙容器組立体
１１０・・・・・第２の容器
１１２・・・・・本体部
１１４・・・・・縁部
１１４ａ・・・・表面
１１６・・・・・底部
１１８・・・・・側壁部
１２０・・・・・粘着体
１３０・・・・・凹所
【図１ａ】
2008531400.tif 000003
【図１ｂ】
2008531400.tif 000004
【図１ｃ】
2008531400.tif 000005
【図２】
2008531400.tif 000006
【図３】
2008531400.tif 000007
【図４】
2008531400.tif 000008
【図５ａ】
2008531400.tif 000009
【図５ｂ】
2008531400.tif 000010
【図５ｃ】
2008531400.tif 000011
【図６ａ】
2008531400.tif 000012
【図６ｂ】
2008531400.tif 000013
【図６ｃ】
2008531400.tif 000014
【図７ａ】
2008531400.tif 000015
【図７ｂ】
2008531400.tif 000016
【図７ｃ】
2008531400.tif 000017
【図８】
2008531400.tif 000018
【図９】
2008531400.tif 000019
【図１０】
2008531400.tif 000020
【図１１ａ】
2008531400.tif 000021
【図１１ｂ】
2008531400.tif 000022
【図１１ｃ】
2008531400.tif 000023
【図１２ａ】
2008531400.tif 000024
【図１２ｂ】
2008531400.tif 000025
【図１２ｃ】
2008531400.tif 000026
【図１２ｄ】
2008531400.tif 000027
【図１３ａ】
2008531400.tif 000028
【図１３ｂ】
2008531400.tif 000029
【図１３ｃ】
2008531400.tif 000030
【国際調査報告】
2008531400.tif 000031
2008531400.tif 000032
2008531400.tif 000033
2008531400.tif 000034
2008531400.tif 000035